(57)【要約】【課題】ズーム倍率指示手段とズーム中心位置指示手段とを備えることで、撮影時にデジタルカメラの向きを変えることなくトリミングできるデジタルカメラを提供することを目的とする。【解決手段】ＬＣＤ２８には撮影レンズ１２にて撮像された画像がスルー動画として表示され、撮影者は十字カーソルボタン３２によって、ズーム中心位置を撮影者の所望の位置となるように移動させ、さらにズーム拡大ボタン４４を押圧操作して、ズーム中心位置を中心としてズーム領域を変化させてズーム倍率を指定する。所望の画角にトリミングした後、シャッタボタンを押圧すれば、デジタルカメラ１０の向きを変えることなく、撮影者の所望の画角（デジタルズーム領域Ｐ１）にて撮影が行える。【選択図】　　図５
2004023631.tif 000002
【特許請求の範囲】
【請求項１】
撮像素子における画像の取り込みが可能な全画素領域よりも小さい領域をデジタルズーム領域とし、該デジタルズーム領域内の画像を表示及び記録するデジタルズーム機能を有するデジタルカメラにおいて、
デジタルズームのズーム倍率を指示するズーム倍率指示手段と、
デジタルズームのズーム中心位置を指示するズーム中心位置指示手段と、
前記ズーム倍率指示手段及び前記ズーム中心位置指示手段によって指示されたズーム倍率及びズーム中心位置に基づいて、前記撮像素子の全画素領域から前記ズーム倍率及び前記ズーム中心位置に対応したデジタルズーム領域を切り出し、該デジタルズーム領域の画像を取り込む画像取込手段と、
前記画像取込手段によって取り込んだ該デジタルズーム領域の画像を表示画面にて表示する表示手段と、
シャッタボタンの操作による記録指示入力があると、前記画像取込手段により取り込んだ前記デジタルズーム領域の画像を記録媒体に記録する記録手段と、を備えたことを特徴とするデジタルカメラ。
【請求項２】
前記表示手段は、前記デジタルズーム領域の画像を前記表示画面一杯に拡大して表示することを特徴とする請求項１に記載のデジタルカメラ。
【請求項３】
前記記録手段は、前記デジタルズーム領域の画像を所定の記録画素数となるように画像処理して記録媒体に記録することを特徴とする請求項１又は２に記載のデジタルカメラ。
【発明の詳細な説明】
【０００１】
【発明の属する技術分野】
本発明はデジタルカメラに係り、特に、撮影時にデジタルズーム倍率及びズーム中心位置を指定できるデジタルズーム機能を備えたデジタルカメラに関する。
【０００２】
【従来の技術】
一般的なデジタルカメラには画像を表示するための液晶モニタ（ＬＣＤ）が設けられ、このＬＣＤに、撮像素子（ＣＣＤ）にて撮像された画像をリアルタイムで表示（以下：スルー動画という）させて、ＬＣＤを電子ファインダとして使用できる。撮影者は、ＬＣＤに表示されたスルー動画により撮影画角を決定することができ、シャッタボタンを押せば、その撮影画角の画像を記録媒体に記録（撮影）することができる。
【０００３】
また、ＣＣＤにおいて取り込み可能な領域、すなわち全画素領域よりも小さい領域をデジタルズーム領域として取得してＬＣＤに拡大表示させるとともに、撮影画角を確認した撮影者によってシャッタボタンが押されると、このデジタルズーム領域の画像を記録媒体に記録させるデジタルズーム機能が付加されたデジタルカメラも知られている。
【０００４】
【発明が解決しようとする課題】
しかしながら、このような従来のデジタルカメラでは、撮影時において、デジタルズームのズーム中心位置が常にＣＣＤの全画素領域の中心位置に固定されているため、撮影者の所望の画角を得るためにデジタルカメラの向きを変えなければならない場合がある。図８には、ＣＣＤの全画素領域において取り込まれた被写体光Ｌ（すなわち等倍時の画角）を示す図である。同図において、デジタルズームのズーム中心位置が常に被写体光Ｌの中心位置９８に固定されているため、この中心位置９８をズーム中心位置として、デジタルズーム領域Ｌ１を取得すると、同図右上の飛行機像が切断されてしまう。また、これよりさらにデジタルズームを行い、デジタルズーム領域Ｌ２を取得すると、同図中心の頭部が切断されてしまう。このため、飛行機像や人物像をデジタルズーム領域Ｌ１、Ｌ２の内側に収めるためにはデジタルカメラの向きを変える必要があり、例えば三脚などに当該デジタルカメラが固定などされている場合には、この作業が煩雑となる欠点があった。
【０００５】
本発明はこのような事情に鑑みてなされたもので、ズーム倍率指示手段とズーム中心位置指示手段とを備えることで、撮影時にデジタルカメラの向きを変えることなくトリミングできるデジタルカメラを提供することを目的とする。
【０００６】
【課題を解決するための手段】
前記目的を達成するために、請求項１に記載の発明は、撮像素子における画像の取り込みが可能な全画素領域よりも小さい領域をデジタルズーム領域とし、該デジタルズーム領域内の画像を表示及び記録するデジタルズーム機能を有するデジタルカメラにおいて、デジタルズームのズーム倍率を指示するズーム倍率指示手段と、デジタルズームのズーム中心位置を指示するズーム中心位置指示手段と、前記ズーム倍率指示手段及び前記ズーム中心位置指示手段によって指示されたズーム倍率及びズーム中心位置に基づいて、前記撮像素子の全画素領域から前記ズーム倍率及び前記ズーム中心位置に対応したデジタルズーム領域を切り出し、該デジタルズーム領域の画像を取り込む画像取込手段と、前記画像取込手段によって取り込んだ該デジタルズーム領域の画像を表示画面にて表示する表示手段と、シャッタボタンの操作による記録指示入力があると、前記画像取込手段により取り込んだ前記デジタルズーム領域の画像を記録媒体に記録する記録手段と、を備えたことを特徴とする。
【０００７】
本発明によれば、ズーム中心位置指示手段およびズーム倍率指示手段によって任意の領域でズーム中心位置、ズーム倍率が指定でき、撮像素子の全画素領域から対応したデジタルズーム領域を切り出して、デジタルズーム領域の画像を取り込む画像取込手段を備えることで、撮影時にデジタルカメラの向きを変えることなく画角を変更できる。
【０００８】
また、請求項２に記載の発明によれば、この表示手段は、デジタルズーム領域の画像を表示画面一杯に拡大して表示するので、変更した画角の確認が撮影者によって容易に行なえる。
【０００９】
さらに、請求項３に記載の発明によれば、この記録手段は、デジタルズーム領域の画像を所定の記録画素数となるように画像処理して記録媒体に記録するので、撮影者の所望の解像度で撮影できる。
【００１０】
【発明の実施の形態】
以下、添付図面に従って本発明に係るデジタルカメラの好ましい実施の形態について詳説する。
【００１１】
図１乃至図３は本発明が適用されるデジタルカメラの外観を示した正面図、平面図および背面図である。図１に示すようにデジタルカメラ１０の正面には、撮影レンズ１２、ファインダ窓１４、ストロボ１６、ストロボ調光センサー１８などが設けられており、また、デジタルカメラ１０の内部で撮影レンズ１２の結像位置には、図１において図示しないＣＣＤ（撮像素子）５２が配置されている。
【００１２】
図２に示すようにデジタルカメラ１０の上面には、シャッタボタン２２と電源スイッチ２４が設けられている。シャッタボタン２２は２段階式に構成され、シャッタボタン２２を軽く押して止める「半押し」の状態で自動ピント合わせ（ＡＦ）および自動露出制御（ＡＥ）が作動してＡＦとＡＥをロックし、「半押し」から更に押し込む「全押し」することで後述する撮影が行われる。
【００１３】
図３に示すようにデジタルカメラ１０の背面には、文字表示用液晶パネル２６、表示画面を構成する液晶モニタ（ＬＣＤ）２８、モードスイッチ３０、十字カーソルボタン３２、ファインダ３４、ズーム拡大／縮小ボタン４４，４６などが設けられている。
【００１４】
前記文字表示用液晶パネル２６は、カメラの状態や撮影モードなどに関する情報（いわば撮影ステータス）を表示するものであり、例えば、内蔵されているバッテリの残量チェック表示、撮影可能コマ数の表示、ストロボ発光有無の表示などが行われる。なお、文字表示用液晶パネル２６の横にはストロボ発光の有無を設定するストロボボタン３６やマクロ撮影を設定するマクロボタン３８が設けられている。
【００１５】
前記ＬＣＤ２８は主として画像を表示するもので、撮影前に撮影画像の確認を行えるように撮影レンズ１２にて撮影された画像（スルー動画）を表示し、また、デジタルカメラ１０に装填された後述するメモリカード６４から記録済みの画像を読み出して再生表示させるものである。なお、ＬＣＤ２８の上部には表示ボタン４２が配置され、ＬＣＤ２８の表示の有無をオン／オフ切り替えできる。
【００１６】
前記モードスイッチ３０は、十字カーソルボタン３２の外周に配置されたリング部材からなり、時計回転方向および反時計回転方向の両方向に回動自在となっている。このモードスイッチ３０は、カメラの機能（モード）を変更などするもので、このモードスイッチ３０を回動操作することにより、例えば、撮影を行う撮影モード、撮影した画像の再生を行う再生モード、解像度の設定を行なう解像度設定モードなど、各種設定モードの選択を行うことができる。とくに後述する解像度設定モードでは、記録媒体に記録する画像の解像度を変更して、撮影者の所望の解像度で撮影できる。
【００１７】
前記十字カーソルボタン３２は、上下左右のいずれかの縁部（上／下／左／右キー）を押圧することによって十字カーソルボタン３２が傾き、対応する４方向（上、下、右、左）の指示を入力できるようにしたもので、前述した設定モードの各種設定項目の選択や、設定内容の変更、再生コマの送り／戻しを指示する操作ボタンとして使用される。また、これに加えて十字カーソルボタン３２は、後述するズーム中心位置指示手段の操作部として用いられ、ズーム中心位置を、十字カーソルボタン３２の押圧された４方向（上、下、右、左）に応じて移動させて、任意位置（撮影者の所望の位置）に移動できる。
【００１８】
前記ズーム拡大ボタン４４およびズーム縮小ボタン４６は、十字カーソルボタン３２に近接するように設けられ、これらは後述するズーム倍率指示手段の操作部として用いられる。ズーム拡大／縮小ボタン４４，４６によってデジタルズーム領域を変更して、任意の倍率（撮影者の所望のズーム倍率）に変更できる。
【００１９】
また、図３には示されていないが、デジタルカメラ１０の内部には、記録媒体としてメモリカード（図４参照）６４を装着するメモリスロットが設けられている。このメモリカード６４にデジタルカメラ１０に内蔵されたカードリーダ／ライタ装置（図４参照）６３によって、撮影した画像が記録されて保存されるほか、記録済みの画像をメモリカード６４から読み取ることも可能である。なお、本実施の形態においては、メモリカード６４としては例えばスマートメディアが使用されるが、記録媒体としてＰＣカード、フラッシュメモリーカード、ＩＣカード、フロッピーディスク、光磁気ディスク（ＭＯ）などを用いてもよい。
【００２０】
図４は、上記デジタルカメラ１０の内部構成を示したブロック図である。デジタルカメラ１０は主として、ズーム倍率指示手段およびズーム中心位置指示手段を構成する操作基板７０、中央処理装置（ＣＰＵ）５０、ＣＣＤ５２、アナログ信号処理部５４、画像取込手段を構成するデジタル信号処理部５８、表示手段を構成する表示メモリ６６、ＬＣＤ２８、記録手段を構成するカードリーダライタ装置６３、メモリカード６４などから構成される。
【００２１】
前記操作基板７０は、図１乃至図３に示した各種操作部材の夫々と回路接続されており、撮影者によるこれら操作部材の操作（例えばシャッタボタン２２の押圧操作やモードスイッチ３０の回転操作など）に基づいて、ＣＰＵ５０に指示信号を出力する。とくに、操作基板７０はシャッタボタン２２、ズーム拡大／縮小ボタン４４，４６、十字カーソルボタン３２とも回路接続されており、シャッタボタン２２の押圧操作によって、記録指示入力として操作基板７０からＣＰＵ５０に指示信号を出力するなど、これらボタンの押圧操作によって操作基板７０からＣＰＵ５０に、各ボタンに対応した指示信号を出力して、ズーム中心位置、ズーム倍率を指示できる。なお、図４においてはこれらシャッタボタン２２、ズーム拡大ボタン４４，ズーム縮小ボタン４６、十字カーソルボタン３２を例として示し、他の操作部材はその表記を省略する。
【００２２】
前記ＣＰＵ５０は、操作基板７０からの指示信号の入力に基づいて、デジタル信号処理部５８に制御信号を出力するとともに、各回路を総括的に制御する。
【００２３】
前記ＣＣＤ５２は、撮影レンズ１２から取り込まれて結像された被写体光を、入射光量に応じた量の信号電荷に変換する。この信号電荷は電圧信号（画像信号）として順次ＣＣＤ５２から読み出されて、アナログ信号処理部５４に加えられる。なお、撮像素子としてはこのＣＣＤに限らず、後述するＣＭＯＳイメージセンサーなどを用いてもよい。
【００２４】
前記アナログ信号処理部５４は、ＣＣＤ５２から加えられた画像信号にサンプリングやホワイトバランス調整などの所要のアナログ処理を施す。また、アナログ処理された画像信号をＡ／Ｄ変換器５６によって画像データ（デジタルデータ）に変換させ、デジタル信号処理部５８に出力させる。なお、上記ＣＣＤ５２、アナログ信号処理部５４およびＡ／Ｄ変換器５６は、タイミングジェネレータ５７からのタイミング信号により同期して動作される。
【００２５】
前記デジタル信号処理部５８は、アナログ信号処理部５４（Ａ／Ｄ変換器５６）から入力された画像データに、必要に応じてガンマ補正などのデジタル処理を施すほか、ＣＰＵ５０からの制御信号に基づいて、ＣＣＤ５２によって取り込まれた画像データ（ＣＰＵ５０の全画素領域の画像データ）からデジタルズーム領域の画像データを取り込む画像取込手段として用いられる。すなわち、デジタル信号処理部５８にＣＰＵ５０からズーム倍率およびズーム中心位置を制御する制御信号が入力されることで、該ズーム中心位置を中心とした該ズーム倍率の画像データを切り出して１画面分の画像を生成し、この画像をデジタルズーム領域の画像として取り込むことができる。
【００２６】
とくに、デジタル信号処理部５８では、ズーム中心位置およびズーム倍率を撮影者に視覚的に示すため、取り込んだデジタルズーム領域の画像を表示メモリ６６に出力し、ＬＣＤ２８にて表示させることができる。これにより撮影者はズーム中心位置を把握できるほか、前記十字カーソルボタン３２（図３参照）を押圧操作することでズーム中心位置を任意位置に移動でき、撮影者の所望の位置でズーム中心位置を指定できる。また、ズーム拡大／縮小ボタン４４，４６を押圧操作することで、デジタルズーム領域を変化させて撮影者の所望のズーム倍率に指定できる。
【００２７】
前記メモリカード６４は画像データを記録保存する。モードスイッチ３０（図３参照）を撮影モードとし、シャッタボタン２２（図２参照）の押圧操作による記録指示入力があると、ＣＰＵ５０からデジタル信号処理部５８に制御信号が出力され、ＣＣＤ５２から１コマ分の画像データが読み込まれ、デジタル信号処理部５８にてデジタル処理が施された後、この画像データがメモリ６０に書き込まれる。メモリ６０に書き込まれた画像データは圧縮伸張回路６２によって圧縮処理されて、カードリーダ／ライタ装置６３（記録手段）によってメモリカード６４に記録されて保存される。
【００２８】
前記ＬＣＤ２８は、前述したように撮影レンズ１２にて撮影された画像（スルー動画）を表示する。モードスイッチ３０を撮影モードとし表示ボタン４２によってスルー動画の表示をオンにすると（図３参照）、デジタル信号処理部５８にはＣＣＤ５２から画像データが連続して読み込まれ、デジタル信号処理部５８によるデジタル処理が連続して画像データに施された後、その画像データが表示メモリ６６に書き込まれる。表示メモリ６６の画像データは順次新しく読み込まれた画像データによって書き換えられ、これによりＬＣＤ２８にてスルー動画が表示される。なお、ＬＣＤ２８は画角が撮影者に把握できればよいので、一般的にパソコンなどで用いられる液晶モニタと比較して、画素数の少ないもの（解像度の低いもの）を用いてもよい。これに伴い、表示メモリ６６に書き込まれる画像データも同様に解像度の低いものを用いることができる。
【００２９】
ＬＣＤ２８には、メモリカード６４に記録保存されている画像も表示できる。モードスイッチ３０を再生モードとし、所定の操作によってメモリカード６４に記録されたいずれかの画像データの再生を指定すると、その画像データがメモリカード６４からカードリーダ／ライタ装置６３によって読み出され、圧縮伸張回路６２によって伸張処理された後、デジタル信号処理部５８にてデジタル処理が行われ、表示メモリ６６を介してＬＣＤ２８に表示される。
【００３０】
次に、このような構成のデジタルカメラ１０の作用について説明する。
【００３１】
図３において、デジタルカメラ１０のモードスイッチ３０を撮影モードにして撮影が行われる。このとき、表示ボタン４２によってスルー動画の表示をオンとして（表示ボタン４２を押圧操作する毎にスルー動画の表示と非表示とを選択することができる）ＬＣＤ２８にスルー動画を表示させ、ＬＣＤ２８をファインダの用途として使用できる。
【００３２】
ここで、図５には、ＣＣＤ５２の全画素領域において取り込まれた被写体光Ｐ（すなわち等倍時の画角）を示す。同図に示すような被写体光Ｐにおいては、一点破線で示されているデジタルズーム領域Ｐ１となるように画角を移動させれば、人物像、飛行機像以外にも、背景の山や雲などをバランスよく撮影できる。従来のデジタルカメラにおいては、このような撮影を行うためには、撮影者によってデジタルカメラの向きを変えなければならなかった。本発明は、このような場合であっても、デジタルカメラ１０の向きを変えることなくトリミングして撮影できるものである。以下、同図５乃至図７を用いて幾つかの実施の形態を示す。
【００３３】
はじめにズーム中心位置を、以下に示すような手順で移動させる。十字カーソルボタン３２（図３参照）を押圧操作して、ズーム中心位置を同図の符号８０に相当する位置となるまで移動させる。すなわち、十字カーソルボタン３２の上／下／左／右キーを押圧操作することで、図４における操作基板７０からＣＰＵ５０に指示信号が出力され、これによりＣＰＵ５０からデジタル信号処理部５８に制御信号が出力されて、ズーム中心位置を対応する４方向（上、下、右、左）に移動させて画角を変更できる。これにより、撮影者の所望の位置（すなわち符号８０の位置）をズーム中心位置として指定することができる。
【００３４】
次に、ズーム倍率に関して以下に説明する。ズーム拡大ボタン４４（図３参照）を押圧操作してズーム倍率を変化させ、図５におけるデジタルズーム領域Ｐ１と略等しくする。ズーム拡大ボタン４４を１回のみ押圧操作すると、図４における操作基板７０からＣＰＵ５０に指示信号が出力され、ＣＰＵ５０からデジタル信号処理部５８に制御信号が出力されて、デジタル信号処理部５８にて画像データに対し、デジタルズーム領域の画像を取り込むデジタル処理（すなわちズーム中心位置を中心とした所定量のズーム倍率の画像データを切り出して１画面分の画像を生成する）が行われる。ズーム拡大ボタン４４を押圧し続けるか、繰り返してズーム拡大ボタン４４を押圧操作することで、前述したデジタル処理が連続して行なわれ、図５におけるデジタルズーム領域Ｐ１と略等しくすることができる。なお、ズーム縮小ボタン４６を押圧操作することで、デジタル信号処理部５８では前記デジタル処理された画像データより所定量のズーム倍率だけ広い画像をデジタルズーム領域の画像として取り込み、１画面分の画像を生成するので、ズーム倍率の微調整が可能である。
【００３５】
デジタル処理された画像データは表示メモリ６６に出力されて書き込まれ、ＬＣＤ２８一杯に拡大して表示される。ＬＣＤ２８に表示される画像（ズーム時の画角）を図６に示す。同図に示すようにＬＣＤ２８には、デジタルズーム領域の画像が表示されるので、撮影者による画角の確認が容易に行なえる。
【００３６】
このように、操作基板７０によって撮影者の所望の位置でズーム中心位置を指定でき、また任意の領域でズーム倍率（デジタルズーム領域）を指定でき、デジタルカメラ１０の向きを変えることなく画角を変更して、人物像、飛行機像などをバランスよく画角として捉えることができる。
【００３７】
図６に示される表示がＬＣＤ２８によってなされた後、この状態のままシャッタボタン２２を押圧操作（記録指示入力）することで撮影が行われる。撮影者によって図２におけるシャッタボタン２２を「半押し」することで撮影レンズ１２による自動ピント合わせなどが行われ、「全押し」することで撮影が行われる。なお、自動ピント合わせなどについてはその説明を省略する。デジタル信号処理部５８では、デジタル処理が行われた画像の画像データをメモリ６０に出力し、この画像データがカードリーダ／ライタ装置６３によってメモリカード６４に書き込まれて保存される。
【００３８】
ここで、撮影者によって、予め所定の記録画素数となるように解像度を設定しておけば、カードリーダ／ライタ装置６３では、デジタルズーム領域の画像を所定の記録画素数となるように画像処理して記録媒体に記録できる。解像度の設定は、モードスイッチ３０（図３参照）を回動操作して、解像度の設定を行なう解像度設定モードとして行われる。ＬＣＤ２８に解像度設定画面（不図示）を表示させ、この状態で、十字カーソルボタン３２を押圧操作することによって、解像度をファイン／ノーマル／ベーシックから撮影者の所望の解像度が選択できる。すなわち、解像度をノーマルからファインとすることで、通常時の撮影と比較して高解像度の撮影が行なえる。また、ノーマルからベーシックとすれば、通常時の撮影と比較して低解像度の撮影が行なえ、メモリカード６４の容量を節約できる。
【００３９】
同様に、図５の被写体光Ｐにおいて、デジタルカメラ１０の向きを変えることなく飛行機像のみを撮影することも可能である。前述と同様に、二点破線で示されているデジタルズーム領域Ｐ２と略等しくなるように画角をトリミングさせて飛行機像を撮影する。すなわち、十字カーソルボタン３２を押圧操作して、ズーム中心位置を同図の符号８２に相当する位置となるまで移動させ、ズーム拡大ボタン４４（ズーム縮小ボタン４６）を押圧操作して、デジタル信号処理部５８にて画像データに対するデジタル処理を行わせる。デジタル処理された画像データは表示メモリ６６に出力されて書き込まれ、図７に示すようにＬＣＤ２８一杯に拡大して表示される。
【００４０】
ここで、図５に示したＣＣＤ５２の全画素領域において取り込まれた被写体光Ｐを、通常のスルー動画としてＬＣＤ２８にて表示させるとともに、図６（図７）に示したＬＣＤ２８の表示と、所定の操作ボタンによって切り換えられるようにしておくと好適である。例えば、表示切換え用の特別な操作ボタンを設けて、この操作ボタンを押している間だけデジタルズーム領域Ｐ１のスルー動画表示（図６）となるようにし、操作ボタンを放すと通常のスルー動画の表示（図５）となるようにしてもよい。また、この操作ボタンを押す毎に通常のスルー動画の表示と、デジタルズーム領域Ｐ１のスルー動画の表示と、デジタルズーム領域Ｐ２のスルー動画の表示（図７）とを、夫々切り換えられるようにしてもよい。また、特別な操作ボタンを設けるのではなく、前記シャッタボタン２２（図２参照）を用いて、シャッタボタン２２が押されていないときには通常のスルー動画を表示し、シャッタボタン２２が半押しされるとデジタルズーム領域Ｐ１のスルー動画表示に切り換わるようにしてもよい。また、表示ボタン４２を一回押すとスルー動画非表示から通常のスルー動画表示に切り換わり、もう一回押すとデジタルズーム領域Ｐ１のスルー動画表示に切り換わり、さらにもう一回押すとデジタルズーム領域Ｐ２のスルー動画表示に切り換わり、またさらに押すとスルー動画非表示に切り替わるようにしてもよい。なお、これら所定の切り替えボタン（前記操作ボタンや前記表示ボタン４２など）によるスルー動画の切り替え表示を円滑に行なうため、メモリ６０（または表示メモリ６６でもよい）には予め、切り替え表示される画像データを記録しておくか、またはズーム中心位置の座標情報および、ズーム倍率（デジタルズーム領域の座標情報）を記録しておくことが望ましい。
【００４１】
なお、上述した実施の形態において、十字カーソルボタン３２によってズーム中心位置を指定した後に、ズーム拡大／縮小ボタン４４，４６を用いてズーム倍率を指定したが、これに限ることなくズーム倍率の指定後にズーム中心位置を指定してもよく、これら順番は問わない。なお、ＬＣＤ２８におけるスルー動画以外の画像（すなわち被写体光Ｐ以外の部分）は画像データが存在せず、表示対象から除外されているため、この部分には、黒、青などの背景色が施される。
【００４２】
前述した実施の形態に示したデジタルカメラの構成は、前記実施の形態に限定されるものではない。
【００４３】
例えば、画角のトリミングは、撮影前（シャッタボタン２２の「半押し」状態）に決定し、ＬＣＤ２８にスルー動画とともに表示するようにしたが、撮影後に決定するようにしてもよい。すなわち、シャッタボタン２２を「全押し」して画像を取り込んだ後、その画像の画像データをメモリカード６４に記録する前にＬＣＤ２８に表示させ、ズーム中心位置指示手段によってズーム中心位置を指定するとともに、ズーム倍率指示手段によってズーム倍率を指定したら、その画角内の画像のみをメモリカード６４に記録するようにしてもよい。
【００４４】
また、メモリカード６４に画像データを記録する際に、ズーム中心位置の座標情報および、ズーム倍率（デジタルズーム領域の座標情報）もメモリカード６４に記録するようにしてもよい。
【００４５】
さらに、図４において、メモリカード６４から画像データを読み出して、デジタル信号処理部５８によってデジタル処理させる機能を備えてもよい。すなわち、モードスイッチ３０（図３参照）を再生モードとし、所定の操作によってメモリカード６４に記録されたいずれかの画像データの再生を指定すると、その画像データがメモリカード６４から読み出され、表示メモリ６６に転送されてＬＣＤ２８にその画像が表示される。この画像をもとにして、ズーム中心位置指示手段によってズーム中心位置を指定するとともに、ズーム倍率指示手段によって、ズーム倍率を指定したら、その画角の画像を新たにメモリカード６４に記録するようにしてもよい。
【００４６】
なお、撮像素子としてＣＣＤ５２に代えてＣＭＯＳイメージセンサーを用いた場合には、ＣＭＯＳイメージセンサーの画素領域にて信号電荷に変換する領域を指定することができるので、全画素領域を取り込む必要がなく、画像の取り込みに用いられる電力量を節約できる。
【００４７】
また、上述した実施の形態では、デジタルカメラにおいて本発明を適用した場合について説明したが、本発明は、撮像素子によって電気信号で画像を取得するデジタルカメラ全てに適用できるので、レンズ交換が可能なデジタルカメラとしてレフレックスデジタルカメラ（一眼レフデジタルカメラ）にも適用できる。
【００４８】
【発明の効果】
以上、説明した本発明に係るデジタルカメラによれば、ズーム中心位置指示手段およびズーム倍率指示手段によって任意の領域でズーム中心位置、ズーム倍率が指定でき、撮像素子の全画素領域から対応したデジタルズーム領域を切り出して、デジタルズーム領域の画像を取り込む画像取込手段を備えることで、撮影時にデジタルカメラの向きを変えることなく画角を変更できる。
【００４９】
また、表示手段はデジタルズーム領域の画像を表示画面一杯に拡大して表示するので、撮影者による画角の確認が容易に行なえる。さらに、この記録手段は、デジタルズーム領域の画像を所定の記録画素数となるように画像処理して記録媒体に記録するので、撮影者の所望の解像度で撮影できる。
【図面の簡単な説明】
【図１】本発明の実施形態に係るデジタルカメラの外観を示した正面図。
【図２】本発明の実施形態に係るデジタルカメラの外観を示した平面図。
【図３】本発明の実施形態に係るデジタルカメラの外観を示した背面図。
【図４】本発明の実施形態に係るデジタルカメラの内部構成を示したブロック図。
【図５】本発明の実施形態に係るデジタルカメラのＣＣＤの全画素領域において取り込まれた被写体光を示す図。
【図６】本発明の実施形態に係るデジタルカメラの液晶モニタ（ズーム時の画角）を用いた作用の一形態を示す図。
【図７】本発明の実施形態に係るデジタルカメラの液晶モニタ（ズーム時の画角）を用いた別の作用の一形態を示す図。
【図８】従来のデジタルカメラのＣＣＤの全画素領域において取り込まれた被写体光を示す図。
【符号の説明】
１０…デジタルカメラ、２２…シャッタボタン、２８…液晶モニタ（表示画面）、５２…ＣＣＤ（撮像素子）、５８…デジタル信号処理部（画像取込手段）、６３…カードリーダ／ライタ装置（記録手段）、６４…メモリカード（記録媒体）、６６…表示メモリ（表示手段）、７０…操作基板（ズーム中心位置／ズーム倍率指示手段）、Ｐ１，Ｐ２…デジタルズーム領域
【図１】
2004023631.tif 000003
【図２】
2004023631.tif 000004
【図３】
2004023631.tif 000005
【図４】
2004023631.tif 000006
【図５】
2004023631.tif 000007
【図６】
2004023631.tif 000008
【図７】
2004023631.tif 000009
【図８】
2004023631.tif 000010